(57)【要約】      （修正有）【課題】携帯電話上に広告するための方法及び装置を提供する。【解決手段】広告サーバを用いて携帯電話に広告をダウンロードするステップと、携帯電話のユーザによって携帯電話上でダウンロードされた広告を選択するステップと、ユーザの選択に応答して、サーバによって追加の情報を提供するステップと、サーバによって選択及び追加の情報を追跡するステップとを含む。広告者から携帯電話サービスプロバイダに提供される補償は、広告のディスプレイ画面に応答する。追加の情報を提供するステップは、携帯電話のユーザインタフェースにおいて、広告のために確保されたスペースを用いるステップを含む。システムは、サーバと、サーバと通信する携帯電話とを含む。【選択図】図１
2015109105.tif 000002
【特許請求の範囲】
【請求項１】
携帯電話上に提示される１つ以上の広告について広告者に課金するための方法であって、
前記方法は、プロセッサによって実行され、前記プロセッサは、
前記携帯電話上に提示するために、少なくとも１つの広告を提供するステップと、
前記少なくとも１つの広告の中から興味を持っている広告に関連付けられた追加情報を要求するために、前記興味を持っている広告を選択するための少なくとも１つの音声要求をユーザから受信するステップであって、前記ユーザからの前記少なくとも１つの音声要求は、前記興味を持っている広告を前記ユーザが選択したことを認識するために、前記少なくとも１つの広告における埋め込まれたタグを用いて部分的に達成される音声認識を用いて処理される、ステップと、
前記携帯電話上に提示するために、前記追加情報を提供するステップと、
提供される前記追加情報に少なくとも部分的に基づいて、前記広告者に課金するステップと
を実行する、方法。
【請求項２】
前記興味を持っている広告は、１つ以上のウェブページに関連付けられており、前記少なくとも１つの音声要求は、前記携帯電話上にダウンロードされるべきページに対する要求を含み、前記興味を持っている広告に課金することは、前記ユーザが要求するウェブページがどれくらい深いかに基づいている、請求項１に記載の方法。
【請求項３】
携帯電話上に広告を表示するためのシステムであって、
前記システムは、前記携帯電話と通信することが可能な少なくとも１つのサーバを含み、
前記少なくとも１つのサーバは、
前記携帯電話上に表示するために、少なくとも１つの広告を提供することと、
前記少なくとも１つの広告の中から興味を持っている広告に関連する追加情報を要求するために、前記興味を持っている広告を選択するための少なくとも１つの音声要求を前記携帯電話のユーザから受信することと
を行うように構成されており、
前記少なくとも１つのサーバは、
前記少なくとも１つの音声要求を受信すると、前記追加情報を前記ユーザに提供することと、
提供される前記追加情報に少なくとも部分的に基づいて、前記広告について課金することと
を行うようにさらに構成されており、
前記ユーザからの前記少なくとも１つの音声要求は、前記興味を持っている広告を前記ユーザが選択したことを認識するために、前記少なくとも１つの広告における埋め込まれたタグを用いて部分的に達成される音声認識を用いて処理される、システム。
【請求項４】
前記興味を持っている広告は、１つ以上のウェブページに関連付けられており、前記少なくとも１つの音声要求は、前記携帯電話上にダウンロードされるべきページに対する要求を含み、前記少なくとも１つのサーバは、前記ユーザが要求するウェブページがどれくらい深いかに少なくとも部分的に基づいて、前記広告者に課金するように構成されている、請求項３に記載のシステム。
【発明の詳細な説明】
【技術分野】
【０００１】
本発明は、概して広告の分野に関し、より詳細には広告の配給業者に対する補償の分野に関する。
【背景技術】
【０００２】
広告は、至る所に遍在する。その結果、購買者となり得る者は望まない広告で満たされているので、広告はその有効性を失う。広告者は、この有効性の減少を補償するために、広告を配置するさらなる場所を捜している。そのような広告配置のために最近用いられている新しい場所は、映画館における映画の前置き、ＤＶＤに組み込まれた広告、およびコンピュータ上のポップアップ広告を含む。
【０００３】
広告配置において比較的利用されていない１つの領域は、携帯電話のディスプレイ画面である。世界中で数十億という、各々が視覚的で可聴性のディスプレイを有する携帯電話が使われているので、携帯電話またはセルラ電話は、多くの視聴者にそのような広告を提供するための重要な場所である。これらのセル電話の各々の画面は典型的にはアイドル状態であり、セル電話ユーザは、電話を使うたびに、画面を見なければならないため、セル電話ディスプレイは、可能性としては広告を配置する最も貴重な場所である。
【０００４】
広告に関する問題は、広告がその個人に向けられてはいないことである。広告者は、典型的には、広告キャンペーン中に調査を行うかまたは製品販売を注視し、ターゲットの視聴者に対して広告キャンペーンがどの程度有効であるかを決定しなければならない。これらのメトリクスを用いても、広告者は、キャンペーンにおける非生産的な広告と同じ金額をキャンペーンにおける生産的な広告の配給に対して支払う。
【発明の概要】
【発明が解決しようとする課題】
【０００５】
必要なことは、広告を配置する費用を広告の価値と結び付ける方法である。本発明はこの問題に対処する。
【課題を解決するための手段】
【０００６】
（発明の概要）
本発明は、携帯電話上の広告のための方法および装置に関する。一実施形態において、該方法は、広告サーバを用いて携帯電話に広告をダウンロードするステップと、携帯電話のユーザによって携帯電話上でダウンロードされた広告を選択するステップと、ユーザの選択に応答して、サーバによって追加の情報を提供するステップと、サーバによって選択および追加の情報を追跡するステップとを含む。別の実施形態において、上記追加の情報を提供するステップは、ユーザの選択に応答して、第２のサーバに携帯電話を接続するステップを含む。さらに別の実施形態において、上記方法は、携帯電話に広告がダウンロードされることを許可するためのインセンティブをユーザに提供するステップをさらに含む。さらに別の実施形態において、インセンティブは携帯電話料金の低減である。
【０００７】
別の実施形態において、上記選択するステップは音声認識によって行われる。さらに別の実施形態において、音声認識は上述の広告内の埋め込まれたタグを用いて行われる。さらに別の実施形態において、上記方法は、広告者によって携帯電話サービスプロバイダに補償を提供することも含む。別の実施形態において、提供される補償は上述の広告のディスプレイ画面に応答する。さらに別の実施形態において、上記方法は、上述のサーバと上述の携帯電話との間で情報を交換するステップをさらに含む。さらに別の実施形態において、上記情報は携帯電話の機能を含む。別の実施形態において、上記追加の情報を提供するステップは、携帯電話のユーザインタフェースにおいて、広告のために確保されたスペースを用いるステップを含む。
【０００８】
別の局面において、本発明は携帯電話に広告を表示するシステムに関する。一実施形態において、上記システムは、サーバと、該サーバと通信する携帯電話とを含む。一実施形態において、上記携帯電話は、ユーザインタフェースと、ユーザ入力デバイスとを含む。上記サーバは、ユーザインタフェースによって、ディスプレイのために携帯電話に広告をダウンロードする。一実施形態において、上記サーバは、ダウンロードされた広告に応答して、ユーザによる広告の使用を追跡する。
【０００９】
別の実施形態において、上記システムは、ダウンロードされた広告に応答する、第２のサーバへの通信接続をさらに含む。さらに別の実施形態において、該システムは、広告が携帯電話にダウンロードされることを可能にするための補償をユーザに提供する請求書作成システムを含む。一実施形態において、上記ユーザ入力デバイスは、音声認識システムを含む。別の実施形態において、上記システムは、ダウンロードされた広告に応答して広告者によって携帯電話サービスプロバイダに補償を提供するために、サーバと通信する補償システムをさらに含む。さらに別の実施形態において、上記ユーザインタフェースは広告のために確保された画面のスペースを含む。
【００１０】
本発明のさらに別の局面は、携帯電話上に広告するためのシステムである。一実施形態において、該システムは、ユーザの携帯電話に広告をダウンロードする手段と、ダウンロードされた広告をユーザが選択することを可能にする手段と、ユーザによる選択に応答してユーザに追加の情報を提供する手段と、広告選択を追跡する手段とを含む。一実施形態において、システムは、該選択された広告に応答して第２のサーバに接続する手段をさらに含む。別の実施形態において、システムは、広告がダウンロードされることを可能にするためのインセンティブをユーザに提供する手段を含む。さらに別の実施形態において、上記ユーザが選択することを可能にする手段は、音声認識のための手段を含む。
【００１１】
一実施形態において、上記システムは、広告を選択するユーザに応答して携帯セル電話サービスプロバイダに補償を提供する手段を提供することをさらに含む。別の実施形態において、システムは、携帯電話に広告をダウンロードする前に情報を交換する手段をさらに含む。別の実施形態において、本発明は、広告を表示する目的のために携帯電話ディスプレイ上の位置においてスペースを確保すること、広告サーバを用いて、携帯電話上の確保されたスペースに広告者からの広告をダウンロードすること、および確保されたスペースの位置に応答して広告者に代金を請求することによって、携帯電話上に広告する方法に関する。
【００１２】
本発明の前述および他の目的、局面、特徴ならびに利点は、添付の図面に関連させて以下の説明を参照することによって、より明らかとなり、より良く理解され得る。
例えば、本発明は以下の項目を提供する。
（項目１）
対話式の広告を携帯電話に送信する方法であって、
ａ）広告サーバを用いて該携帯電話に広告をダウンロードするステップと、
ｂ）該携帯電話のユーザによって該携帯電話上で該ダウンロードされた広告を選択するステップと、
ｃ）該ユーザの選択に応答して、サーバによって追加の情報を提供するステップと、
ｄ）該サーバによって該選択および追加の情報を追跡するステップと
を包含する、方法。
（項目２）
上記追加の情報を提供するステップは、上記ユーザの選択に応答して、第２のサーバに上記携帯電話を接続するステップを包含する、項目１に記載の方法。
（項目３）
上記携帯電話に広告がダウンロードされることを許可するためのインセンティブを上記ユーザに提供するステップをさらに包含する、項目１に記載の方法。
（項目４）
上記インセンティブは携帯電話料金の低減である、項目３に記載の方法。
（項目５）
上記選択するステップは音声認識によって行われる、項目１に記載の方法。
（項目６）
上記音声認識は上記広告内の埋め込まれたタグを用いて行われる、項目５に記載の方法。
（項目７）
広告者によって上記携帯電話サービスプロバイダに補償を提供することをさらに包含する、項目１に記載の方法。
（項目８）
上記提供される補償は上記広告のディスプレイ画面に応答する、項目７に記載の方法。
（項目９）
上記提供される補償は、上記ユーザによってトラバースされ上記広告のディスプレイ画面に到着するリンクの数に応答する、項目８に記載の方法。
（項目１０）
上記提供される補償は、上記広告のディスプレイ画面に割り当てられた価格に応答する、項目８に記載の方法。
（項目１１）
上記サーバと上記携帯電話との間で情報を交換するステップをさらに包含する、項目１に記載の方法。
（項目１２）
上記情報は上記携帯電話の機能を含む、項目１１に記載の方法。
（項目１３）
上記追加の情報を提供するステップは、上記携帯電話のユーザインタフェースにおいて、広告のために確保されたスペースを用いるステップを包含する、項目１に記載の方法。
（項目１４）
携帯電話に広告を表示するシステムであって、
サーバと、
該サーバと通信する携帯電話であって、該携帯電話は、
ユーザインタフェースと、
ユーザ入力デバイスと
を備えている、携帯電話と
を備え、
該サーバは、該ユーザインタフェースによって、ディスプレイのために該携帯電話に広告をダウンロードし、
該サーバは、該ダウンロードされた広告に応答して、該ユーザによる広告の使用を追跡する、システム。
（項目１５）
上記ダウンロードされた広告に応答する、第２のサーバへの通信接続をさらに備えている、項目１４に記載のシステム。
（項目１６）
上記広告が上記携帯電話にダウンロードされることを可能にするための補償を上記ユーザに提供する請求書作成システムをさらに備えている、項目１４に記載のシステム。
（項目１７）
上記ユーザ入力デバイスは、音声認識システムを備えている、項目１４に記載のシステム。
（項目１８）
ダウンロードされた上記広告に応答して広告者によって携帯電話サービスプロバイダに補償を提供するために、上記サーバと通信する補償システムをさらに備えている、項目１４に記載のシステム。
（項目１９）
上記ユーザインタフェースは広告のために確保された画面のスペースを含む、項目１４に記載のシステム。
（項目２０）
携帯電話上に広告するためのシステムであって、
ユーザの該携帯電話に広告をダウンロードする手段と、
該ダウンロードされた広告をユーザが選択することを可能にする手段と、
該ユーザによる該選択に応答して該ユーザに追加の情報を提供する手段と、
広告選択を追跡する手段と
を備えている、システム。
（項目２１）
上記選択された広告に応答して第２のサーバに接続する手段をさらに備えている、項目２０に記載のシステム。
（項目２２）
広告がダウンロードされることを可能にするためのインセンティブをユーザに提供する手段をさらに備えている、項目２０に記載のシステム。
（項目２３）
上記ユーザが選択することを可能にする手段は、音声認識のための手段を備えている、項目２０に記載のシステム。
（項目２４）
広告を選択するユーザに応答して携帯セル電話サービスプロバイダに補償を提供する手段をさらに提供する、項目２０に記載のシステム。
（項目２５）
上記携帯電話に上記広告をダウンロードする前に情報を交換する手段をさらに備えている、項目２０に記載のシステム。
（項目２６）
携帯電話上に広告する方法であって、
ａ）広告を表示する目的のために携帯電話ディスプレイ上の位置においてスペースを確保するステップと、
ｂ）広告サーバを用いて、該携帯電話上の該確保されたスペースに広告者からの広告をダウンロードするステップと、
ｃ）該確保されたスペースの該位置に応答して該広告者に代金を請求するステップと
を包含する、方法。
【図面の簡単な説明】
【００１３】
【図１】図１は、本発明のシステムの実施形態のブロック図である。
【図２】図２は、図１の本発明の実施形態のより詳細な図である。
【図３】図３は、図１および図２に示される本発明の実施形態によって用いられるフロー図である。
【発明を実施するための形態】
【００１４】
（好ましい実施形態の説明）
図１を参照し、簡単な概観において、本発明に従って構成されるシステムの実施形態は、セル電話（ｃｅｌｌ  ｐｈｏｎｅ）１０などのモバイル通信デバイス、広告サーバ１４、広告プロバイダ１８およびネットワーク２２を含む。セル電話１０は、広告サーバ１４から広告を受信するように構成される。広告サーバ１４は、典型的には、モバイル通信デバイスプロバイダ３０のネットワークの一部である。広告２６は、広告者コンテンツプロバイダ１８によって広告サーバ１４に提供され、広告者コンテンツプロバイダ１８は、モバイル通信デバイス１０の画面３４上の広告のディスプレイに基づく所定の基準に従って、モバイル通信デバイスプロバイダ３０に報酬を与える２８。
【００１５】
セル電話に組み込まれたソフトウェアは、ディスプレイにダウンロードされる広告のグラフィックスを描く能力がある。さらにユーザは、製品に関するさらなる情報を得るために、広告を選択し得る。
【００１６】
より詳細に、かつ図２を参照して、セル電話１０などのモバイル通信デバイスは、典型的にはモバイル通信デバイスサーバプロバイダ３０によって提供されるサーバ１４からの広告を受信するように構成される。一実施形態において、モバイル通信デバイス１０のユーザは、サーバ１４からモバイル通信デバイス１０に広告がダウンロードされることを許可するためにインセンティブが与えられる。これらのインセンティブは、広告される商品に対してユーザによって換金可能なクーポンまたはクレジットから、ユーザに対するモバイル通信サービスの毎月の費用の低減までの範囲に及び得る。これらのインセンティブは、モバイル通信サービスプロバイダ３０または、広告者コンテンツプロバイダ１８によって直接的に提供され得る。
【００１７】
最初にサーバ１４は、モバイル通信デバイス１０のディスプレイ能力を決定するためにモバイル通信デバイス１０に問い合わせする３８。モバイル通信デバイス１０は、画面サイズなどの、モバイル通信デバイス１０のディスプレイパラメータを示す情報４２によって応答する。この時点でサーバ１４は、画面３４のディスプレイに適した形式で広告４６をダウンロードする。ユーザは次いで、ユーザが所望する場合に、追加の情報の画面（一般に４６）の要求５０を送信することによって広告に応答する。
【００１８】
一実施形態において、ディスプレイ画面３４における広告４６の位置は、広告者１８に対する料金を決定する。例えば、バナー位置５４は、コーナー位置５８より高い価格を有するように選択され得る。これは、商品生産者が、店内の棚のスペースにおける生産者の製品の場所に従って、商人に対して様々な金額を支払う仕組みに類似している。目の高さの棚に置かれた製品は、より低いかまたはより高い棚に置かれた製品よりも商人に対する高額な支払いを生じさせる。画面３４上のこれらの確保された位置５４、５８は、モバイル通信デバイス１０への広告のダウンロードに対するサービスプロバイダ３０への支払いの１つの基準を提供する。
【００１９】
サービスプロバイダ３０への支払いを提供するための第２の基準は、ユーザが有する広告への興味によって提供される。すなわち、ユーザが自分が興味を持っている広告を受信する場合、ユーザは、モバイル通信デバイス１０の入力デバイスまたはキーパッド６２を用いて、追加の情報の画面に対する要求５０をサーバ１４に送信し得る。一実施形態において、画面追跡モジュール６４は、ユーザが要求する画面数を追跡し続け、広告者コンテンツプロバイダ１８に通知を送信する。この通知は、ユーザによって閲覧された広告およびダウンロードされた広告画面の各々に関する広告者１８への費用を示すインボイスの役目をする。
【００２０】
別の実施形態において、第２のサーバ７２は、ユーザが広告に応答して追加の情報に対する要求５０を送信するときに利用される。１つのそのような実施形態において、サーバ１４は、情報のダウンロード７６の制御７４を直接第２のサーバ７２に送る。別の実施形態において、第２のサーバ７２は要求された広告情報７８をサーバ１４に送り、サーバ１４は次いで、情報４６をモバイル通信デバイス１０にダウンロードする。一部の実施形態において、第２のサーバは、広告された製品もしくはサービスの製作者に属するかまたは広告者コンテンツプロバイダ１８に属する。
【００２１】
図３も参照すると、本発明の実施形態の動作が示される。最初にサーバは、モバイル通信デバイスのディスプレイ能力を決定するためにモバイル通信デバイスに問い合わせる（ステップ１０）。モバイル通信デバイスは、画面サイズなどのモバイル通信デバイスのディスプレイパラメータを示す情報によって応答する（ステップ１２）。サーバは次いで、広告者と携帯電話サービスプロバイダとの間の連絡に基づいて、広告が画面上のどの位置に設置されるべきかを決定する（ステップ１４）。この時点において、サーバは、画面上のディスプレイに適した形式で広告をダウンロードする（ステップ１６）。ユーザは次いで、ユーザが所望する場合、追加の情報の画面に対する要求を送信することによって広告に応答する（ステップ１８）。ユーザが追加の情報を所望しない場合、画面は次いで、ユーザによる使用のためにアイドルモードから移行するか（ステップ２０）、または、ユーザが所定の時間画面を使用しない場合、別の広告が表示される（ステップ２１）。
【００２２】
オプションでサーバは、ユーザによって要求されたページのリストを維持する（ステップ２２）。広告者は次いで、ユーザによってなされる追加の情報の要求回数に従って、またはユーザによってトラバースされるウェブページへのリンク回数に従って、サービスプロバイダによって代金請求される（ステップ２４）。あるいは、一実施形態において、ウェブページの表示のための広告者に対する費用は、ウェブページによって変動する。特定の情報を有する「深い」ウェブページは、広告者にとって高レベルの一般のウェブページより多く費用がかかる。ここでは、より多くの情報を欲するユーザが製品に興味を持っており、従って、広告者にとってより価値があるということを想定している。従って例えば、ユーザが、興味のあるウェブページに到達するために３つのリンクをトラバースした場合、一実施形態において、広告者は３回のリンクに対して代金請求され得るか、または、「深い」（すなわち、３回のリンクの）ウェブページが、トップレベルのウェブページより高いレートで広告者に代金請求され得る。
【００２３】
前述の説明は、本発明のいくつかの特定な実施形態に限定されている。しかしながら、本発明の一部またはすべての利点を達成して、本発明に対する変形および修正がなされ得ることは明らかである。従って、添付の特許請求の範囲の範囲によってのみ限定されことが本発明者の意図である。
【図１】
2015109105.tif 000003
【図２】
2015109105.tif 000004
【図３】
2015109105.tif 000005
【外国語明細書】
2015109105000001.pdf